(57)【特許請求の範囲】
【請求項１】
野外活動用の運搬車であって、荷台と、この荷台を支えると共に運搬車の移動を可能とする移動手段と、前記運搬車を操縦する為の操縦手段と、前記作業者に向かって送風を行う送風手段と、前記作業者の位置を検出する人感センサーと、前記人感センサーが検出した前記作業者の位置に応じて、前記作業者に直接送風が行われるように、前記送風手段の送風方向を調整し、この送風によって前記作業者に害虫が近づくことを妨げる調整手段とを備え、前記送風手段には、除虫効果を高める薬剤を収納する薬剤収納手段が設けられており、前記作業者の周囲にこの薬剤を散布することを特徴とする害虫防除機能付き運搬車。
【発明の詳細な説明】
【技術分野】
【０００１】
本発明は、野外で作業を行う人を、夏の害虫被害から守る害虫防除機能付き運搬車に関する。
【背景技術】
【０００２】
近年の温暖化の影響もあって、夏には野外での活動で蚊などの害虫に刺されることが多くなっている。特に、ウイルスを媒介する害虫は、時に大きな被害を及ぼすことがある。
【０００３】
行楽などの一時的なものであれば、やり過ごすこともできるが、農作業など連日仕事で長時間野外で活動する場合には、作業効率が落ちたり、感染症にかかったりする虞れもあり、大きな問題となっている。
【先行技術文献】
【特許文献】
【０００４】
【特許文献１】特表２０００−５０７８３０公報
【発明の概要】
【発明が解決しようとする課題】
【０００５】
蚊等の害虫を除去する為の一般的な方法としては、蚊取り線香や殺虫剤のスプレー等が良く用いられる。このようなものは、屋内で使用するには非常に効果的であるが、屋外で使用すると、薬剤が飛散してしまい効率が悪い。例えば、風のある日に用いても、余り効果が期待できないということもある。特に、農作業などで一所に留まって一定時間作業を行っていると、人の発する二酸化炭素などにより蚊などの吸血性の害虫が集まってきて、複数箇所刺されてしまうことがある。更に、運搬車を用いて移動を行うような場合でも、殺虫剤が効果を発揮するのは作業者が通りすぎてしまった場所ということになり、移動している間でもどうしても刺されてしまう。
【０００６】
また、ディートのような虫よけ剤（忌避剤）をスプレーで体にふりかけたり、直接肌に塗りつけたりする方法もある。この場合、屋外での薬剤の飛散という問題は殆どない。しかし、アレルギーや肌荒れを起こすなど、健康上の理由から、長期の連用には余り向いていない。更に、蚊には効果的な忌避剤は沢山あるが、刺された場合の症状がより重いブヨなどにも十分な効果が期待できる忌避剤は余り知られていない。
【０００７】
また、害虫にとって不快な３６キロヘルツから４１キロヘルツの範囲の周波数を発する超音波発信器を用いた超音波害虫防除器（特許文献１）もある。しかしながら、現在、販売されている製品は非常に少なくなっている。その理由は、虫が嫌がる音は実際に存在するものの、実際に使用してみると虫よけの余り感じられなかったからである。
【０００８】
そこで、本発明の目的は、人体に悪影響を与えること無く、全ての害虫に有効な害虫防除機能を備えた運搬車を提供することである。
【課題を解決するための手段】
【０００９】
上記課題を解決するために、本発明の１つの様相による害虫防除機能付き運搬車は、野外活動用の運搬車であって、荷台と、この荷台を支えると共に運搬車の移動を可能とする移動手段と、前記運搬車を操縦する為の操縦手段と、前記作業者に向かって送風を行う送風手段と、前記作業者の位置を検出する人感センサーと、前記人感センサーが検出した前記作業者の位置に応じて、前記作業者に直接送風が行われるように、前記送風手段の送風方向を調整し、この送風によって前記作業者に害虫が近づくことを妨げる調整手段とを備え、前記送風手段には、除虫効果を高める薬剤を収納する薬剤収納手段が設けられており、前記作業者の周囲にこの薬剤を散布することを特徴とする。
【００１０】
また、好ましい実施例では、前記人感センサーは、赤外線センサーであることを特徴とする。
【００１１】
更に、好ましい実施例では、前記運搬車の移動手段は、エンジンによって駆動することを特徴とする。
【００１２】
更に、好ましい実施例では、前記エンジンによって発電する発電機を更に備え、前記送風手段は、この発電機で生成される電力によって駆動することを特徴とする。
【００１３】
更に、好ましい実施例では、前記発電機によって充電されるバッテリーを更に備え、前記送風手段は、このバッテリーで駆動することを特徴とする。
【００１４】
更に、好ましい実施例では、前記送風手段は、差し渡し直径３０ｃｍ以上の羽根を有する扇風機であることを特徴とする。
【発明の効果】
【００１５】
本発明に係わる害虫防除機能付き運搬車によれば、夏の蚊やブヨなど吸血性の昆虫類から作業者を守り、同時に体温上昇を防ぎ、暑い中での山や藪のなかの作業が格段に楽になる。
【図面の簡単な説明】
【００１６】
【図１】図１は、本発明の一実施例による害虫防除機能付き運搬車の使用状態を示す斜視図である。
【図２】図２は、本発明の一実施例による害虫防除機能付き運搬車の周囲で作業を行っている様子を示す斜視図である。
【発明を実施するための形態】
【００１７】
以下、添付図面を参照しながら本発明の実施形態による害虫防除機能付き運搬車を説明する。図１は、本発明の一実施例による害虫防除機能付き運搬車の使用状態を示す斜視図である。この図に示したように、この害虫防除機能付き運搬車１０は、農作業などの野外活動で利用するものであり、クローラ１１を備えた走行部１２と、この走行部１２を駆動するガソリンエンジンを備えた駆動部１３と、クローラ１１に支持され運搬したい荷物を積むための荷台１５と、この運搬車１０を操縦する為の操作ハンドル１７を備えている。全体寸法は、一例として全長１４６ｃｍ、全幅６３０ｃｍ、全高９０ｃｍである。
【００１８】
また、この運搬車１０の駆動部１３上部に害虫防除用の扇風機３０が設けられ、移動中であっても落下しないように十分に固定されている。また、扇風機３０には、その送風方向を上下左右に自動で変更する首振り機構３５ａ、３５ｂが設けられている。この扇風機３０によって、操作ハンドル１７を握って運搬車１０を操縦する場合は勿論、運搬車１０の周囲で作業している間でも作業者２０に向かって十分な風量の送風が可能となっている。
【００１９】
具体的には、扇風機３０は４枚羽根を持ち、その差し渡し直径（４枚羽根を回転体としてみた全体の直径）は、３０ｃｍ以上、例えば４５ｃｍとなっている。また、駆動電力としては、８０Ｗ以上、例えば１２４Ｗ以上が望ましい。このような構成により、８０ｍ3／ｍｉｎ以上の風量での送風が可能となるようにする。
【００２０】
また、扇風機３０には、人感センサーとして赤外線センサー３３と、送風方向を上下左右に変更する為の首振り機構３５ａ、３５ｂが設けられている。この赤外線センサー３３は、人の体温を感知し、扇風機３０の送風方向と人のいる方向とのずれを検出する。また、首振り機構３５ａ、３５ｂは赤外線センサー３３の検出結果に応じて、扇風機３０の送風方向を変化させ、作業者２０の動きに追従させる。これにより作業中に移動しても、常に扇風機３０の風が作業者２０に直接当たり、害虫を寄せ付けないようにする。例えば、図２に示したように作業者２０が運搬車１０の周囲で作業を行っている場合には、風が作業者２０へ向かうように首振り機構３５ａが動作する。この扇風機３０の送風の効果は、周囲４〜５ｍ程度までは十分であるが、それ以上離れて作業を行うような場合には、適宜運搬車１０を作業場所の近くまで移動すれば良い。
【００２１】
更に、好適な実施形態の１つでは、扇風機３０の駆動部１３の上部に、薬剤収納容器３２を固定するようにしても良い。この薬剤収納容器３２の内部には、シトロネラ、ニーム、ユーカリといった除虫効果のある薬液が収容されている。この薬液は、薬剤収納容器３２の内部から外へ延出した太い紐状の芯３２ｃをつたって、外部へ移動する。そして、扇風機３０の背面の気流に含まれて、作業者２０の周囲に散布される。この薬液によって更に除虫効果が高まる。
【００２２】
また、従来の一般的な扇風機と同様に、作業者２０の身長に合わせて扇風機３０も高さも所定の範囲で調整できる。更に、扇風機３０は運搬車１０から着脱自在となっており、冬季で害虫防除機能が不要である場合には、取り外しておくことができる。
【００２３】
従って、作業者２０がこの運搬車１０を用いて野外作業を行う際には、先ず、扇風機３０を駆動してから積荷を行う。その間、扇風機３０の送風により害虫防除が行われる。積荷が完了すると、運搬車１０のエンジンを起動し、別の作業場所へ移動する。その間も扇風機３０の送風は、作業者２０に直接当たり、害虫を寄せ付けないようにする。作業場所へついたら、荷降ろし作業を行うが、やはり首振り機構３５ａ、３５ｂにより、扇風機３０の送風は作業者２０の動きに追従するので、扇風機３０の送風は、作業者２０に直接当たり、害虫を寄せ付けないようにする。その後の、作業でも同様である。
【００２４】
なお、扇風機３０にはバッテリーが設けられており、このバッテリーの電力で扇風機３０のモーターを駆動する。また、駆動部１３内のエンジンで発電するダイナモを設けておき、このダイナモ（発電機）で発電された電力でバッテリーを充電するようにする。従って、作業中、運搬車１０のエンジンを切っていても、扇風機３０はバッテリーの電力を使って利用可能となっている。
【００２５】
以上のように、蚊やブヨなど吸血性の昆虫類は、作業者２０の体に近づくと吹き飛ばされてしまい皮膚にとまることができない。また、これらの昆虫類は、夏の気温の高い時期に活動するので、扇風機３０の送風は作業者２０の体温上昇も同時に防止し、防虫対策に加えて暑さ対策ともなる。
【産業上の利用可能性】
【００２６】
以上のように、本発明による害虫防除機能付き運搬車によれば、農作業や林業などの野外活動を快適に行えるので、作業効率を飛躍的に向上させることが出来る。
【００２７】
なお、上記実施形態では、運搬車１０は、エンジンを備えているが、人力で荷物の運搬を行うような運搬車に対しても、本発明は適用可能である。
【００２８】
また、上記実施形態では、運搬車１０は、ガソリンエンジンを備えているが、これに限らず電動エンジンで駆動する運搬車に対しても、本発明は適用可能である。
【００２９】
更に、上記実施形態では、運搬車１０は、移動手段として無限軌道を備えているが、これに限らず車輪で移動する運搬車に対しても、本発明は適用可能である。
【００３０】
更に、上記実施形態では、運搬車１０は、荷物のみを積載可能なものであるが、これに限らず人が乗り込むことも可能な運搬車に対しても、本発明は適用可能である。
【符号の説明】
【００３１】
１０  運搬車
１１  クローラ
１２  走行部
１３  駆動部
１５  荷台
１７  操作ハンドル
２０  作業者
３０  扇風機
３２  薬剤収納容器
３２ｃ  芯
３３  赤外線センサー
３５ａ、３５ｂ  首振り機構
【図１】
0006488447.tif 000002
【図２】
0006488447.tif 000003